(57)【要約】【課題】電子決済が不可能な情報記録媒体を用いた出場処理において不足額を電子決済により精算できる出場処理装置、出場処理方法、及びプログラムを提供することである。【解決手段】実施形態の出場処理装置は、読取部と、精算制御部と、書込部とを持つ。前記読取部は、電子決済が不可能な第１情報記録媒体と電子決済が可能な第２情報記録媒体とから情報を読み取る。前記精算制御部は、前記適用情報と前記入場情報とに基づき、前記入場地点から出場地点までの利用料金から前記適用条件を満たす利用分の料金を減額して不足額を算出し、前記第２情報記録媒体に記録されている電子マネーにより前記不足額を精算する。前記書込部は、前記精算制御部により前記不足額が精算された場合に、前記第１情報記録媒体又は前記第２情報記録媒体に対して、出場情報を書き込む。【選択図】図３
2015164010.tif 000002
【特許請求の範囲】
【請求項１】
電子決済が不可能な第１情報記録媒体と電子決済が可能な第２情報記録媒体とから情報を読み取る読取部と、
決められた適用条件を示す適用情報と入場地点を示す入場情報とが前記読取部により読み取られた情報に含まれる場合、前記適用情報と前記入場情報とに基づき不足額を算出し、前記第２情報記録媒体に記録されている電子マネーにより前記不足額を精算する精算制御部と、
前記精算制御部により前記不足額が精算された場合に、前記第１情報記録媒体又は前記第２情報記録媒体に対して、出場を許可することを示す出場情報を書き込む書込部と、
を備える出場処理装置。
【請求項２】
前記精算制御部は、
前記第２情報記録媒体に記録されている電子マネーでは前記不足額に足りない場合、第２情報記録媒体に対する電子マネーの追加を指示するメッセージを出力部から出力させ、電子マネーが追加された後の前記第２情報記録媒体の残高を用いて前記不足額を精算する請求項１に記載の出場処理装置。
【請求項３】
前記読取部は、所定の載置位置に重ねられて載置された前記第１情報記録媒体と前記第２情報記録媒体とから情報を読み取り、
前記書込部は、所定の載置位置に重ねられて載置された前記第１情報記録媒体又は前記第２情報記録媒体に対して前記出場情報を書き込む請求項１又は２に記載の出場処理装置。
【請求項４】
前記書込部は、前記第１情報記録媒体及び前記第２情報記録媒体のうち、前記入場情報が記録されている情報記録媒体に対して前記出場情報を書き込む請求項１から３のうちいずれか一項に記載の出場処理装置。
【請求項５】
前記精算制御部は、前記第２情報記録媒体が前記第１情報記録媒体に対応付けられた情報記録媒体であると認証された場合、前記第２情報記録媒体に記録されている電子マネーにより前記不足額を精算する請求項１から４のうちいずれか一項に記載の出場処理装置。
【請求項６】
電子決済が不可能な第１情報記録媒体と電子決済が可能な第２情報記録媒体とから情報を読み取る読取ステップと、
決められた適用条件を示す適用情報と入場地点を示す入場情報とが前記読取ステップにおいて読み取られた場合、前記適用情報と前記入場情報とに基づき、前記入場地点から出場地点までの利用料金から前記適用条件を満たす利用分の料金を減額して不足額を算出し、前記第２情報記録媒体に記録されている電子マネーにより前記不足額を精算する精算制御ステップと、
前記精算制御ステップにより前記不足額が精算された場合に、前記第１情報記録媒体又は前記第２情報記録媒体に対して、出場を許可することを示す出場情報を書き込む書込ステップと、
を備える出場処理方法。
【請求項７】
コンピュータを、
電子決済が不可能な第１情報記録媒体と電子決済が可能な第２情報記録媒体とから情報を読み取る読取手段、
決められた適用条件を示す適用情報と入場地点を示す入場情報とが前記読取手段により読み取られた情報に含まれる場合、前記適用情報と前記入場情報とに基づき、前記入場地点から出場地点までの利用料金から前記適用条件を満たす利用分の料金を減額して不足額を算出し、前記第２情報記録媒体に記録されている電子マネーにより前記不足額を精算する精算制御手段、
前記精算制御手段により前記不足額が精算された場合に、前記第１情報記録媒体又は前記第２情報記録媒体に対して、出場を許可することを示す出場情報を書き込む書込手段、
として機能させるためのプログラム。
【発明の詳細な説明】
【技術分野】
【０００１】
本発明の実施形態は、出場処理装置、出場処理方法、及びプログラムに関する。
【背景技術】
【０００２】
入口ゲートに設けられ、利用者の持参するＩＣカードに入場情報を書き込む入口改札機と、出口ゲートに設けられ、ＩＣカードから読み取った入場情報に基づき出場処理を実行する出口改札機とを備えるシステムがある。このＩＣカードには利用可能な区間情報を予め記録可能であり、利用可能な区間内の出口改札機から出場する場合、出口改札機はＩＣカードから読み取った区間情報に基づき出場を許可する。一方、利用可能な区間外の出口改札機では出場が制限されるため、ＩＣカードに電子マネーが記録されている場合、出口改札機は、不足分をＩＣカードの電子マネーで電子決済した上で出場を許可する。しかしながら、例えば数日限りの有効券としてＩＣカードを発行する場合に電子決済機能を備えるＩＣカードを適用すると、電子決済のためのセキュリティシステムを構築するための経費がさらに発生するという問題があった。
【先行技術文献】
【特許文献】
【０００３】
【特許文献１】特開２００６−４３１９号公報
【発明の概要】
【発明が解決しようとする課題】
【０００４】
本発明が解決しようとする課題は、電子決済が不可能な情報記録媒体を用いた出場処理において不足額を電子決済できる出場処理装置、出場処理方法、及びプログラムを提供することである。
【課題を解決するための手段】
【０００５】
実施形態の出場処理装置は、読取部と、精算制御部と、書込部とを持つ。前記読取部は、電子決済が不可能な第１情報記録媒体と電子決済が可能な第２情報記録媒体とから情報を読み取る。前記精算制御部は、決められた適用条件を示す適用情報と入場地点を示す入場情報とが前記読取部により読み取られた情報に含まれる場合、前記適用情報と前記入場情報とに基づき不足額を算出し、前記第２情報記録媒体に記録されている電子マネーにより前記不足額を精算する。前記書込部は、前記精算制御部により前記不足額が精算された場合に、前記第１情報記録媒体又は前記第２情報記録媒体に対して、出場を許可することを示す出場情報を書き込む。
【図面の簡単な説明】
【０００６】
【図１】実施形態の出場処理装置１００の一例を示す概略図である。
【図２】実施形態の出場処理装置１００による精算例を説明するための図である。
【図３】実施形態の出場処理装置１００の構成例を示すブロック図である。
【図４】実施形態の出場処理装置１００による精算処理の一例について説明するためのフローチャートである。
【図５】実施形態の精算制御部１０１による認証処理の一例について説明するためのフローチャートである。
【発明を実施するための形態】
【０００７】
以下、実施形態の出場処理装置１００を、図面を参照して説明する。
図１は、実施形態に係る出場処理装置１００の一例を示す概略図である。実施形態に係る出場処理装置１００は、入口改札機と出口改札機により入出場が管理されている駅の施設内であって、出口改札機の近くに設置される。出場処理装置１００は、電子決済が不可能な第１情報記録媒体と、電子決済が可能な第２情報記録媒体とを利用して、出場処理を実行する。
【０００８】
実施形態では、第１情報記録媒体として、例えば、特別企画乗車券、定期券、回数乗車券等の所定期間内において所定区間の利用が許可されている区間券ＩＣカードＡが用いられる。特別企画乗車券とは、例えば鉄道会社から発行される割引乗車券等であって、利用時間や日時などが限定された割引乗車券や、所定の区間が乗り放題となるフリー乗車券等が含まれる。区間券ＩＣカードＡには、決められた適用条件を示す適用情報が予め記録されている。区間券ＩＣカードＡには、例えば、適用条件として、利用が許可されている期間、区間、対象者等に関する情報等が記録されている。
第２情報記録媒体として、電子マネーを記録し、記録している電子マネーで電子決済が可能なチャージ式ＩＣカードＢを用いられる。
区間券ＩＣカードＡとチャージ式ＩＣカードＢには、それぞれ固有のカードＩＤが予め割り当てられており、記録されている。
【０００９】
出場処理装置１００は、カードカセット１と、表示部２と、紙幣投入口３と、操作部４とを備える。
カードカセット１は、区間券ＩＣカードＡとチャージ式ＩＣカードＢとが重ねて載置される載置台である。カードカセット１は、区間券ＩＣカードＡとチャージ式ＩＣカードＢとを、立てた状態で保持する。
表示部２は、出場処理装置１００による処理結果や利用者への操作案内を表示する。
紙幣投入口３は、紙幣の差し込み口である。紙幣投入口３の奥には、差し込まれた紙幣を取り込む機構が搭載されている。
操作部４は、利用者からの操作を受け付け、受け付けた操作内容を示す情報を出場処理装置１００のＣＰＵに出力する。
【００１０】
次に、図２を参照して、出場処理装置１００による精算例について説明する。図２は、出場処理装置１００による精算例を説明するための図である。
例えば、Ｅ駅、Ｆ駅、Ｇ駅、Ｈ駅、Ｉ駅、Ｊ駅がこの順番で連結されている線路があるとする。これらの駅のうち、Ｆ駅からＩ駅の区間が、区間券ＩＣカードＡの適用条件を満たす区間である。
【００１１】
利用者は、区間券ＩＣカードＡにおいて許可されている許可区間内のＧ駅から区間券ＩＣカードＡを使って入場し、許可区間外のＪ駅から出場したとする（図示のルートＲ１参照）。この場合、出場処理装置１００は、Ｉ駅からＪ駅までの乗り越し料金を、チャージ式ＩＣカードＢの電子マネーで精算する。
【００１２】
また、利用者は、区間券ＩＣカードＡにおいて許可されている許可区間外のＥ駅からチャージ式ＩＣカードＢを使って入場し、許可区間内のＨ駅から出場したとする（図示のルートＲ２参照）。この場合、出場処理装置１００は、Ｅ駅からＦ駅までの利用料金をチャージ式ＩＣカードＢの電子マネーで精算する。
【００１３】
なお、ルートＲ１の場合、区間券ＩＣカードＡに入場した駅等を示す入場情報が記録されているため、出場処理装置１００は、区間券ＩＣカードＡを精算原券として取り扱う。一方、ルートＲ２の場合、チャージ式ＩＣカードＢに入場情報が記録されているため、出場処理装置１００は、チャージ式ＩＣカードＢを精算原券として取り扱う。
【００１４】
次に、図３を参照して、出場処理装置１００の構成例について説明する。図３は、出場処理装置１００の構成例を示すブロック図である。
出場処理装置１００は、読取部５と、書込部６と、紙幣回収機構７と、紙幣検出部８と、メモリ９と、ＣＰＵ（Central Processing Unit）１０とをさらに備える。
【００１５】
読取部５は、ＣＰＵ１０の制御の下、区間券ＩＣカードＡまたはチャージ式ＩＣカードＢと通信接続し、それぞれのＩＣカードから情報を読み取り、ＣＰＵ１０に出力する。
書込部６は、ＣＰＵ１０の制御の下、区間券ＩＣカードＡまたはチャージ式ＩＣカードＢと通信接続して、いずれか一方に出場を許可することを示す出場情報を書き込む。また、書込部６は、ＣＰＵ１０の制御の下、チャージ式ＩＣカードＢに対して電子マネーに関する情報を書き込む。
なお、読取部５と書込部６とは、一体的に構成される通信部５６であってもよい。
【００１６】
紙幣回収機構７は、紙幣投入口３から投入された紙幣を取りこみ、所定の紙幣回収箱（図示せず）に収容する。
紙幣検出部８は、紙幣回収機構７により取りこまれた紙幣の種類を示す情報を検出し、検出結果を示す情報をＣＰＵ１０に出力する。
メモリ９は、出場処理装置１００の動作に必要な種々の情報を記憶する。例えば、メモリ９は、出場処理装置１００が設置されている駅に関する情報等を記憶する。また、メモリ９は、ＣＰＵ１０による情報処理に利用される情報を一時的に記憶する。
【００１７】
ＣＰＵ１０は、出場処理装置１００の動作を統括的に制御する制御部である。出場処理装置１００は、ＣＰＵ１０がプログラムを実行することにより機能する機能部として、精算制御部１０１と、チャージ制御部１０２と、紙幣回収機構制御部１０３と、を備える。また、これら機能部の一部又は全部は、ＬＳＩ（Large Scale Integration）やＡＳＩＣ（Application Specific Integrated Circuit）などのハードウェア機能部であってもよい。
【００１８】
精算制御部１０１は、例えば、操作部４を介して精算処理の実行が指示された場合、読取部５を介して、カードカセット１に載置されているＩＣカードから情報を読み取る。精算制御部１０１は、読取部５から読み取られた情報に基づき、不足額を算出する。実施形態において、精算制御部１０１は、入場地点から出場地点までの区間において、区間券ＩＣカードＡから読み取られた適用情報が適用される区間以外の区間の料金を、不足額として算出する。精算制御部１０１は、算出した不足額をチャージ式ＩＣカードＢに記録されている電子マネーにより精算する。なお、本明細書において、電子マネーで精算するということは、不足額を電子マネーにより電子決済する処理を示すものである。
精算制御部１０１は、ＩＣカードから読み取られた情報に基づき不足額を精算した場合、区間券ＩＣカードＡ又はチャージ式ＩＣカードＢに出場情報を書き込む。実施形態において、精算制御部１０１は、入場情報が記録されていたＩＣカード（つまり精算原券）に対して出場情報を書き込む。
精算制御部１０１は、チャージ式ＩＣカードＢの電子マネーの残額では不足額に足りない場合、チャージ式ＩＣカードＢに電子マネーの追加を指示するメッセージを表示部２から出力させる。その後、精算制御部１０１は、電子マネーが追加されたチャージ式ＩＣカードＢの残高を用いて不足額を精算する。
【００１９】
チャージ制御部１０２は、紙幣検出部８の検出結果に基づき、紙幣投入口３から投入された金額を算出し、投入された金額に相当する電子マネーに関する情報をチャージ式ＩＣカードＢに書き込む。つまり、チャージ制御部１０２は、投入された金額に相当する電子マネーをチャージ式ＩＣカードＢにチャージする。
【００２０】
紙幣回収機構制御部１０３は、電子マネーのチャージが操作部４を介して利用者から指示された場合、紙幣投入口３から投入された紙幣を取りこみ、紙幣回収箱に収容するよう紙幣回収機構７を制御する。なお、紙幣回収機構制御部１０３は、紙幣投入口に搭載されているセンサーにより投入物を検出した場合、動作を開始するものでもよい。
【００２１】
次に、図４を参照して、出場処理装置１００による精算処理の一例について説明する。図４は、出場処理装置１００による精算処理の一例について説明するためのフローチャートである。
操作部４を介して精算処理の実行が指示された場合、精算制御部１０１は、カードカセット１に載置されているＩＣカードから情報を読み取るよう読取部５を制御する（ステップＳＴ１）。読取部５は、読み取った情報を、精算制御部１０１に出力する。実施形態において、読取部５は、区間券ＩＣカードＡから適用情報とカードＩＤとを読み取り、読み取った情報を対応付けて精算制御部１０１に出力する。また、読取部５は、チャージ式ＩＣカードＢから電子マネーの残額を示す情報とカードＩＤとを読み取り、読み取った情報を対応付けて精算制御部１０１に出力する。さらに、読取部５は、区間券ＩＣカードＡ又はチャージ式ＩＣカードＢから、入場情報を読み取り、読取ったＩＣカードのカードＩＤと対応付けて精算制御部１０１に出力する。
【００２２】
精算制御部１０１は、読取部５が読み取った情報の中に、入場情報と適用情報とがあるか否かを判定する（ステップＳＴ２）。
読取部５が読み取った情報の中に、入場情報と適用情報とがあると判定した場合（ステップＳＴ２：ＹＥＳ）、精算制御部１０１は、入場情報が記録されていたＩＣカードのカードＩＤを精算原券のカードＩＤとして、メモリ９に書き込む（ステップＳＴ３）。
精算制御部１０１は、読み取った入場情報と適用情報に基づき不足額を算出する（ステップＳＴ４）。例えば、ルートＲ１の場合、精算制御部１０１は、Ｉ駅からＪ駅までの料金を不足額として算出する。また、ルートＲ２の場合、精算制御部１０１は、Ｅ駅からＦ駅までの料金を不足額として算出する。
【００２３】
精算制御部１０１は、不足額が０円を超えているか否かを判定する（ステップＳＴ５）。
不足額が０円を超えている場合（ステップＳＴ５：ＹＥＳ）、精算制御部１０１は、不足額が電子マネーの残高以下であるか否かを判定する（ステップＳＴ６）。
不足額が電子マネーの残高以下であると判定した場合（ステップＳＴ６：ＹＥＳ）、精算制御部１０１は、不足額をチャージ式ＩＣカードＢの電子マネーから精算する（ステップＳＴ７）。
精算制御部１０１は、メモリ９に記録された精算原券のカードＩＤに基づき、精算原券のＩＣカードに出場情報を書き込み、入場情報を消去する。
【００２４】
一方、ステップＳＴ６の判定処理において、不足額が電子マネーの残高を超えているであると判定した場合（ステップＳＴ６：ＮＯ）、精算制御部１０１は、表示部２から、紙幣の投入を要求する情報を表示させる（ステップＳＴ９）。ここで、精算制御部１０１は、不足額から電子マネーの残高を減算した金額以上の金額を紙幣で支払う場合の紙幣の種類及び枚数を、表示部２から表示させてもよい。利用者が紙幣投入口３から紙幣を投入すると、紙幣回収機構７が紙幣を取りこみ、紙幣検出部８が紙幣の種類を示す情報を検出してチャージ制御部１０２に出力する。
チャージ制御部１０２は、紙幣検出部８の検出結果に基づき、投入された紙幣に応じた金額をチャージ式ＩＣカードＢにチャージする（ステップＳＴ１０）。チャージ制御部１０２は、ステップＳＴ６の処理に戻って、電子マネーの残高が不足額を超えるまで、ステップＳＴ９，１０の処理を繰り返す。
【００２５】
なお、精算制御部１０１は、精算処理を実行する際に、認証処理を実行してもよい。認証処理とは、区間券ＩＣカードＡを複数人で使い回されることを防止するための処理である。例えば、ルートＲ２の通りに一緒に移動した甲と乙が、それぞれ所持するチャージ式ＩＣカードＢ１，Ｂ２で出場する場合、１つの区間券ＩＣカードＡを使いまわしてチャージ式ＩＣカードＢ１，Ｂ２で精算処理し、チャージ式ＩＣカードＢ１，Ｂ２で出場する虞がある。
実施形態において、精算制御部１０１は、区間券ＩＣカードＡによる精算を、区間券ＩＣカードＡと紐づけられたチャージ式ＩＣカードＢでしか許可できないように割り当てられた紐づけ情報を参照して、認証処理を実行する。例えば、区間券ＩＣカードＡによる精算をチャージ式ＩＣカードＢ１が最初に実行する際、精算制御部１０１は、区間券ＩＣカードＡとチャージ式ＩＣカードＢ１の両方に同一の情報を含む紐づけ情報を書き込む。区間券ＩＣカードＡに紐づけ情報が記録されている場合、精算制御部１０１は、既にチャージ式ＩＣカードＢ１による精算が実行された区間券ＩＣカードＡであると判定して、紐づけられたチャージ式ＩＣカードＢ１でしか精算を実行しない。これにより、精算制御部１０１は、区間券ＩＣカードＡを用いて他のチャージ式ＩＣカードＢ２での精算を禁止することができる。
【００２６】
次に、図５を参照して、精算制御部１０１による認証処理の一例について説明する。図５は、精算制御部１０１による認証処理の一例について説明するためのフローチャートである。この認証処理は、例えば、図４のステップＳＴ１とステップＳＴ２との間に実行される。
精算制御部１０１は、読取部５が読み取った情報に基づき、区間券ＩＣカードＡから紐づけ情報を読み取ったか否かを判定する（ステップＳＴ１０１）。
区間券ＩＣカードＡから紐づけ情報を読み取ったと判定した場合（ステップＳＴ１０１：ＹＥＳ）、精算制御部１０１は、チャージ式ＩＣカードＢから紐づけ情報を読み取ったか否かを判定する（ステップＳＴ１０２）。
チャージ式ＩＣカードＢから紐づけ情報を読み取ったと判定した場合（ステップＳＴ１０２：ＹＥＳ）、精算制御部１０１は、区間券ＩＣカードＡから読み取った紐づけ情報と、チャージ式ＩＣカードＢから読み取った紐づけ情報とが一致するか否かを判定する（ステップＳＴ１０３）。
紐づけ情報が一致すると判定した場合、精算制御部１０１は、精算処理を許可し、図４のステップＳＴ２に移行する（ステップＳＴ１０４）。
【００２７】
一方、ステップＳＴ１０２の判定において、チャージ式ＩＣカードＢから紐づけ情報を読み取ったと判定しない場合（ステップＳＴ１０２：ＮＯ）、又は、ステップＳＴ１０３の判定において、読み取った紐づけ情報が一致しないと判定した場合（ステップＳＴ１０３：ＮＯ）、精算制御部１０１は、表示部２からエラーを出力させる（ステップＳＴ１０５）。この場合、精算処理は許可されない。
また、ステップＳＴ１０１の判定において、区間券ＩＣカードＡから紐づけ情報を読み取ったと判定しない場合（ステップＳＴ１０１：ＮＯ）、精算制御部１０１は、同一の情報を含む紐づけ情報を発行し、区間券ＩＣカードＡとチャージ式ＩＣカードＢとに書き込む（ステップＳＴ１０６）。そして、ステップＳＴ１０４の処理に進む。
【００２８】
上記実施形態において、出場処理装置１００は、精算原券に出場情報を書き込むと説明したが、これに限られない。例えば、出場処理装置１００は、予め決められた方のＩＣカードに出場情報を書き込むものでもよい。
【００２９】
上記実施形態において、出場処理装置１００は、区間券ＩＣカードＡにおいて許可されている区間の利用料金の一部を精算するものでもよい。例えば、所定区間の利用料金の割引率が含まれている適用情報が記録されている区間券ＩＣカードＡが利用可能である。出場処理装置１００は、区間券ＩＣカードＡの所定区間内の利用であって、割引が１００％でなければ、入場地点から出場地点までの利用料金から区間券ＩＣカードＡにより適用される利用分の料金を減額して不足額を算出し、チャージ式ＩＣカードＢからの電子マネーで精算する。
【００３０】
上記実施形態において、表示部２は情報を出力する出力部の一例であって、音を出力するスピーカーであってもよい。
【００３１】
上記実施形態において、区間券ＩＣカードＡは、チャージ式ＩＣカードＢと同じ形状のＩＣカードを例に説明したが、カード形状に限られない。例えば、区間券ＩＣカードＡは、チップ形状のものであってもよく、ストラップで取り付けられる切手サイズのＩＣタグであってもよい。また、区間券ＩＣカードＡとしては、例えば、FeliCalite-Sのような安価なＩＣカードが利用可能である。
【００３２】
上記実施形態において、出場処理装置１００は、紙幣投入口３、紙幣回収機構７、及び紙幣検出部８等の紙幣処理に関する構成を持たない構成でもよい。
【００３３】
上記実施形態において、出場処理装置１００は、チャージ式ＩＣカードＢ以外にも、電子決済が可能なＩＣチップを搭載したスマートフォン等の端末が利用可能である。この場合、カードカセット１に加えて、スマートフォン等を載置する載置台が設けられる。読取部５と書込部６を含む通信部５６は、区間券ＩＣカードＡとスマートフォンの両方と通信する。
【００３４】
以上説明した少なくともひとつの実施形態によれば、入場地点から出場地点までの利用料金から、区間券ＩＣカードＡの適用条件を満たす利用分の料金を減額して不足額を算出し、チャージ式ＩＣカードＢに記録されている電子マネーにより不足額を精算する精算制御部１０１を持つことにより、電子決済が不可能な情報記録媒体を用いた出場処理において不足額を電子決済により精算することができる。
【００３５】
また、出場処理装置１００は、チャージ式ＩＣカードＢの電子マネーにより不足額の精算が可能であるため、コインで精算するためのメカ構造が不要となり、出場処理装置１００の構造を簡単にすることができる。
【００３６】
また、出場処理装置１００は、精算した後、出場情報を区間券ＩＣカードＡ又はチャージ式ＩＣカードＢに書き込むため、精算券を発券するためのメカ構造が不要となり、出場処理装置１００の構造を簡単にすることができる。
【００３７】
また、精算制御部１０１は、チャージ式ＩＣカードＢに記録されている電子マネーでは不足額に足りない場合、チャージ式ＩＣカードＢに対する電子マネーの追加を指示するメッセージを表示部２から出力させ、電子マネーが追加された後のチャージ式ＩＣカードＢの残高を用いて不足額を精算する。これにより、チャージ式ＩＣカードＢの残額が足りない場合であっても、精算処理の途中でチャージ式ＩＣカードＢに電子マネーを追加し、精算処理を続行することができる。
【００３８】
また、読取部５は、カードカセット１に重ねて載置された区間券ＩＣカードＡとチャージ式ＩＣカードＢとから情報を読み取り、書込部６は、カードカセット１に重ねて載置された区間券ＩＣカードＡ又はチャージ式ＩＣカードＢに対して出場情報を書き込む。これにより、ＩＣカードを出場処理装置１００内に取りこむメカ構造が不要となり、出場処理装置１００の構造を簡単にすることができる。
【００３９】
また、書込部６は、区間券ＩＣカードＡ又はチャージ式ＩＣカードＢのうち、入場情報が記録されている精算原券に対して出場情報を書き込む。これにより、利用者は、入場したＩＣカードを用いて出場すればよく、出場改札機にかざすＩＣカードがどちらであるか混同してしまう事態を防止できる。
【００４０】
また、精算制御部１０１は、区間券ＩＣカードＡに紐づけ情報がある場合、チャージ式ＩＣカードＢがチャージ式ＩＣカードＢに対応付けられたＩＣカードであると認証された場合、チャージ式ＩＣカードＢに記録されている電子マネーにより不足額を精算する。これにより、区間券ＩＣカードＡを複数人で使い回されることを防止できる。
【００４１】
上記各実施形態の出場処理装置１００は、装置内部に本実施形態を実施するための機能（プログラム）が予め設定されている場合について説明したが、これに限らず同様の機能（プログラム）をネットワークから装置にダウンロードしても良いし、同様の機能（プログラム）を記録媒体に記憶させたものを装置にインストールしてもよい。記録媒体としては、光ディスク、ＵＳＢメモリ等のプログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４３】
１…カードカセット、２…表示部、３…紙幣投入口、４…操作部、５…読取部、６…書込部、７…紙幣回収機構、８…紙幣検出部、９…メモリ、１０…ＣＰＵ、１００…出場処理装置、１０１…精算制御部、１０２…チャージ制御部、１０３…紙幣回収機構制御部
【図１】
2015164010.tif 000003
【図２】
2015164010.tif 000004
【図３】
2015164010.tif 000005
【図４】
2015164010.tif 000006
【図５】
2015164010.tif 000007